【事件の表示】
　特許第３２６８０８２号「プロセス」の請求項２３に係る特許に対する特許異議の申立てについて、次のとおり決定する。
【結　論】
　特許第３２６８０８２号の請求項２３に係る特許を維持する。
【理　由】
１．手続の経緯
　特許第３２６８０８２号の請求項２３に係る発明についての出願は、平成５年９月１４日に出願（優先権主張　平成４年９月１４日　米国（ＵＳ））され、平成１４年１月１１日に特許権の設定登録がなされ、その後、特許異議申立人木平ゆう子より特許異議の申立てがなされ、取消しの理由が通知され、その指定期間内である平成１５年４月１０日に特許異議意見書が提出されたものである。
　              　
２．本件発明
  特許第３２６８０８２号の請求項２３に係る発明（以下、「本件発明」という。）は、特許請求の範囲の請求項２３に記載された次のとおりのものである。
　                　
「【請求項２３】　ＣＨＰ、クメン、ＣＨＰ分解用の酸触媒、ジクミルペルオキシド、ジメチルベンジルアルコール、フェノール及びアセトンを含んでなる組成物であって、アセトンとフェノールとのモル比が１．１：１〜１．５：１の範囲内にあることを特徴とする組成物。」
　                  　
３．異議申立ての理由の概要
　異議申立人は、本件発明についての特許に対して、申立ての証拠として、甲第１号証（G.Messina et al.,Side reactions and related by-products in the phenol/acetone process La Chimica e l'industria, vol.65, 1983, p.10-17）、甲第２号証（米国特許第２９０４５９２号明細書）、甲第３号証（米国特許第４３５８６１８号明細書）、甲第４号証（特公平２−５１４０８号公報）を提出して、本件発明は、甲第１号証又は甲第２号証に記載された発明であるか、又は、甲第１号証ないし甲第４号証に記載の発明に基づいて当業者が容易に発明をすることができたものであるから、本件発明に係る特許は、特許法第２９条の規定に違反してされたものであって、取り消されるべきものである旨、主張している。
    　
４．甲各号証の記載
　甲第１号証は、クメンを分解してフェノールとアセトンを生成する反応における副反応と副生成物に関する文献であり、「フェノール／アセトン　プロセスにおける副生成物に関するスキーム１」（第１１頁）には、「クメン」から「ＣＨＰ」、「ＤＭＦＣ」、「ＤＣＰ」が生成される反応経路が記載され、図６（第１３頁）には、「α−ＭＳ、水、硫酸を含むフェノール／アセトン溶媒におけるα−ＭＳからＤＭＦＣ、ＰｈＣＥの生成速度」が記載され、フェノール／アセトン比であるγを、「γ＝０．６８」とすることが記載されている。
                                        　
　甲第２号証には、「本発明はクメンヒドロペルオキシドの分解方法、及びこの分解生成物からのフェノールと実質的に純粋なアセトンの回収方法に関する。」（第１頁第１欄１５行目〜１７行目）旨、「良好な温度調節と適度に融通性のある実施を実現するために、ライン４９，５１，５３及び３を介して蒸留領域４０から反応領域１に再循環されるアセトンの量は、クメンヒドロペルオキシド１モルあたり約０．２５〜１．５モルのアセトンが反応領域に導入されるようにするべきである。」（第２頁第４欄４９行目〜５５行目）旨記載されている。
                                          　
　甲第３号証には、「フェノールは、クメンをクメンヒドロキシペルオキシド（ＣＨＰ）に空気酸化し、次いでＣＨＰを酸触媒開裂によりフェノールとアセトンとすることによって、製造される。」旨（第１頁第１欄６行目〜８行目）、「クメンの酸化の間、少量のジメチルフェニルカルビノール（ＤＭＰＣ）とアセトフェノンも生成する。酸触媒の存在下に、ＤＭＰＣは脱水してα−メチルスチレン（ＡＭＳ）、有用な副生物となる。」（第１頁第１欄１６行目〜２０行目）旨記載され、「（ａ）ＤＭＰＣとＣＨＰが結合してＤＣＰが生成する反応、およびＣＨＰが分解してフェノールとアセトンが生成する反応。」（第１頁第２欄３行目〜４行目）が記載されている。
                            　
　甲第４号証は、甲第３号証の日本への対応出願の公告公報である。
　
５．対比・判断
　
（１）特許法第２９条第１項第３号について
　本件発明と甲第１号証に記載された発明とを対比すると、後者における「ＤＭＦＣ」は「ジメチルフェニルカルビノール」であり、前者における「ジメチルベンジルアルコール」に相当するものであるから、両者は、「ＣＨＰ、クメン、ＣＨＰ分解用の酸触媒、ジクミルペルオキシド、ジメチルベンジルアルコール、フェノール及びアセトン」のいずれかを含む組成物である点で一致している。
　しかしながら、本件発明では、「ＣＨＰ、クメン、ＣＨＰ分解用の酸触媒、ジクミルペルオキシド、ジメチルベンジルアルコール、フェノール及びアセトン」の全てを含む組成物であるのに対して、甲第１号証に記載の発明については、これら全ての物質を含んだ組成物であるかどうか不明である。また、前者では、「アセトンとフェノールとのモル比が１．１：１〜１．５：１の範囲内」であるのに対して、後者では、図６において、ＣＨＰ、クメン、ジクルミフェノールを含まない組成物において、フェノール／アセトン比であるγを、γ＝０．６８とすることが記載されているのみであり、「ＣＨＰ、クメン、ＣＨＰ分解用の酸触媒、ジクミルペルオキシド、ジメチルベンジルアルコール、フェノール及びアセトンを含んでなる組成物」において、「アセトンとフェノールとのモル比が１．１：１〜１．５：１の範囲内」とすることについては、記載も示唆もなされていない。
　
  また、甲第２号証には、ＣＨＰ、クメン、ＣＨＰ分解用の酸触媒等を含む組成物が記載されているが、該組成物にジクルミペルオキシドを含ませることについては記載されていない。
　そして、甲第３、４号証には、ＣＨＰ分解によりジクルミペルオキシドを生成させたことが記載されているが、甲第２号証に記載の発明と、甲第３、４号証に記載の発明とは、反応条件などが相違していることから、甲第３、４号証を参酌しても、甲第２号証に記載の発明において、ジクルミペルオキシドが生成し、組成物中に含まれていると認めることはできない。
　更に、甲第２号証には、「クメンヒドロペルオキシド１モルあたり約０．２５〜１．５モルのアセトン」について記載されているが、フェノールのモル比については具体的に記載されておらず、甲第２号証において、「アセトンとフェノールとのモル比が１．１：１〜１．５：１の範囲内」とすることが自明であったと認めることもできない。
      　
　してみると、本件発明は、「ＣＨＰ、クメン、ＣＨＰ分解用の酸触媒、ジクミルペルオキシド、ジメチルベンジルアルコール、フェノール及びアセトンを含んでなる組成物」において、「アセトンとフェノールとのモル比が１．１：１〜１．５：１の範囲内」としている点で、甲第１号証又は甲第２号証に記載の発明とは相違するものであり、本件発明は、甲第１号証又は甲第２号証に記載された発明であるとは認められない。
　　
（２）特許法第２９条第２項について
　本件発明と、甲第１号証又は甲第２号証に記載の発明とは、上記で述べたとおり、前者は、「ＣＨＰ、クメン、ＣＨＰ分解用の酸触媒、ジクミルペルオキシド、ジメチルベンジルアルコール、フェノール及びアセトンを含んでなる組成物」において、「アセトンとフェノールとのモル比が１．１：１〜１．５：１の範囲内」としている点において相違するものである。
　そして、甲第３、４号証には、アセトンとフェノールを製造する方法について記載されているが、「アセトンとフェノールとのモル比が１．１：１〜１．５：１の範囲内」とすることについては、記載も示唆もなされていない。
　また、「ＣＨＰ、クメン、ＣＨＰ分解用の酸触媒、ジクミルペルオキシド、ジメチルベンジルアルコール、フェノール及びアセトンを含んでなる組成物」において、「アセトンとフェノールとのモル比が１．１：１〜１．５：１の範囲内」とすることが周知技術であったとも認められない。
  してみると、「ＣＨＰ、クメン、ＣＨＰ分解用の酸触媒、ジクミルペルオキシド、ジメチルベンジルアルコール、フェノール及びアセトンを含んでなる組成物」において、「アセトンとフェノールとのモル比が１．１：１〜１．５：１の範囲内」とすることは、当業者が容易に想到し得ることと認められない。
　そして、本件発明は、請求項２３に記載の構成を採用することにより、クメンヒドロキシペルオキシド（ＣＨＰ）のフェノールとアセトンへの反応効率を向上させるという明細書記載の効果を奏するものである。
　よって、本件発明は、甲第１号証ないし甲第４号証に記載された発明に基づいて、当業者が容易に発明をすることができたものとは認められない。
      　
（４）むすび
　以上のとおりであるから、特許異議の申立ての理由及び証拠によっては、本件発明に係る特許を取り消すことはできない。
　また、他に本件発明に係る特許を取り消すべき理由を発見しない。
　したがって、本件発明に係る特許は拒絶の査定をしなければならない特許出願に対してなされたものとは認められない。
　よって、結論のとおり決定する。
【異議決定日】
平成１５年６月４日（２００３．６．４）